(57)【要約】【課題】  動作設定用の操作部としてメカニカルスイッチを備えた電子機器において、その接点の経時変化に伴い機器が誤動作するのを防止する。【解決手段】  選局部３０で選局したテレビ放送信号の映像ＩＦ信号を直交検波部３２で直交検波してデジタル処理部３４で処理することにより、妨害波信号成分を除去した映像信号を生成し、変調部３６でその映像信号と音声ＩＦ信号とからテレビ放送信号を生成するオフセットビートキャンセラにおいて、変調部３６が生成するテレビ放送信号の放送チャンネルをロータリスイッチからなる出力チャンネル設定部４８を介して設定できるようにし、しかも、そのチャンネル設定は、チャンネルセットスイッチ４８を設定モードに切り換えたときにだけ行い、それ以外は、設定時にＥＥＰＲＯＭ５２に記憶した出力チャンネルに固定する。【選択図】  図２
2004304758.tif 000002
【特許請求の範囲】
【請求項１】
操作位置に応じて接点の開閉状態が切り換えられると共に該接点の状態が保持されるメカニカルスイッチからなる動作設定用の第１操作部を備え、該第１操作部の接点の状態に応じて動作状態が切り換えられる電子機器において、
当該電子機器の動作モードを、前記第１操作部の接点の状態に応じて当該電子機器の動作設定を行う設定モードと、当該電子機器の動作設定を行わない固定モードとの何れかに切り換えるための第２操作部と、
該第２操作部を介して当該電子機器の動作モードが前記設定モードに設定されているときは、前記第１操作部の接点の状態を監視すると共に、該監視結果に応じて当該電子機器の動作を制御し、前記第２操作部を介して当該電子機器の動作モードが前記設定モードから前記固定モードに切り換えられると、前記第１操作部の接点の状態をメモリに記憶して、その後、当該電子機器の動作モードが前記設定モードに切り換えられるまで、該メモリに記憶した接点の状態に応じて当該電子機器の動作を制御する制御手段と、
を備えたことを特徴とする電子機器。
【請求項２】
請求項１に記載の電子機器において、
当該電子機器は、所定の情報を表す信号を伝送する伝送路上に設けられ、該伝送路を流れる伝送信号を処理する情報伝送装置であり、
前記制御手段は、前記第１操作部の接点の状態の監視結果若しくは前記メモリに記憶された接点の状態に応じて、前記伝送信号の処理動作を制御することを特徴とする電子機器。
【請求項３】
受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、
該選局手段から出力される映像中間周波信号を直交検波することにより、該映像中間周波信号に含まれる妨害波信号成分を抽出し、該抽出した妨害波信号成分を除去した映像信号若しくは映像中間周波信号を生成する映像信号処理手段と、
該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段と、
を備え、該生成されたテレビ放送信号を受信信号として出力するオフセットビートキャンセラであって、
操作位置に応じて接点の開閉状態が切り換えられると共に該接点の状態が保持されるメカニカルスイッチからなり、前記テレビ放送信号生成手段が生成するテレビ放送信号の放送チャンネルを外部操作によって設定するための第１操作部と、
当該オフセットビートキャンセラの動作モードを、前記テレビ放送信号生成手段が生成するテレビ放送信号の放送チャンネルを前記第１操作部を用いて設定する設定モードと、該放送チャンネルを所定チャンネルに固定する固定モードとの何れかに切り換えるための第２操作部と、
該第２操作部を介して当該オフセットビートキャンセラの動作モードが前記設定モードに設定されているときは、前記第１操作部の接点の状態を監視すると共に、該監視結果に応じて前記テレビ放送信号生成手段が生成するテレビ放送信号の放送チャンネルを制御し、前記第２操作部を介して当該オフセットビートキャンセラの動作モードが前記設定モードから前記固定モードに切り換えられると、前記第１操作部の接点の状態をメモリに記憶して、その後、当該オフセットビートキャンセラの動作モードが前記設定モードに切り換えられるまで、該メモリに記憶した接点の状態に応じて前記テレビ放送信号生成手段が生成するテレビ放送信号の放送チャンネルを制御する制御手段と、
を備えたことを特徴とするオフセットビートキャンセラ。
【請求項４】
前記第１操作部は、複数の接点を有し、回転位置に応じて各接点の開閉状態が切り換えられるロータリスイッチからなることを特徴とする請求項３に記載のオフセットビートキャンセラ。
【請求項５】
前記映像信号処理手段は、前記映像中間周波信号を直交検波することによりＩ信号とＱ信号とを生成し、該生成したＱ信号をＡ／Ｄ変換してデジタル処理することにより前記Ｉ信号に含まれる妨害波信号成分を生成し、該生成した妨害波信号成分を前記Ｉ信号から除去することにより、前記妨害波信号成分を除去した映像信号を生成することを特徴とする請求項３又は請求項４に記載のオフセットビートキャンセラ。
【発明の詳細な説明】
【技術分野】
【０００１】
本発明は、  動作状態を設定するためのスイッチとして、操作位置に応じて接点の開閉状態が切り換えられると共に接点の状態が保持されるメカニカルスイッチを備えた電子機器、及び、その電子機器の一つであるオフセットビートキャンセラに関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになるし、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を抽出し、この映像搬送波を用いて映像ＩＦ信号を直交検波することにより、妨害波信号成分を含むＱ信号を生成し、更に、アナログフィルタを用いて、その生成したＱ信号から妨害波信号成分を抽出して、この妨害波信号成分を映像ＩＦ信号から除去するオフセットビートキャンセラが提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
ところで、上記提案のオフセットビートキャンセラは、何れも、映像ＩＦ信号を信号処理することによって、妨害波信号成分を除去した映像ＩＦ信号を生成するものであるため、ホーム共同受信等で複数の受信端末（テレビチューナ等）に伝送される受信信号の中から妨害波信号成分を除去するようにするには、受信信号の中から妨害波を除去すべき放送チャンネルのテレビ放送信号を選局する選局部や、妨害波信号成分を除去した映像ＩＦ信号を用いてテレビ放送信号を生成する変調部を別途設ける必要がある。
【０００５】
また、このようにオフセットビートキャンセラに選局部及び変調部を設けた場合、選局部にて選局するテレビ放送信号の放送チャンネル（以下、選局チャンネルともいう）と変調部で生成するテレビ放送信号の放送チャンネル（以下、出力チャンネルともいう）とを一致させると、受信信号には妨害波信号成分を除去する前のテレビ放送信号が含まれていることから、オフセットビートキャンセラにて妨害波信号成分を除去したテレビ放送信号を元の受信信号にそのまま混合することができなくなる。
【０００６】
このため、オフセットビートキャンセラに選局部及び変調部を設けて、妨害波信号成分除去後のテレビ放送信号を他の受信信号と一緒に受信端末まで伝送するようにするには、変調部の出力チャンネルを、選局部の選局チャンネルと異なるチャンネルに設定する必要がある。
【０００７】
そして、このように出力チャンネルを選局チャンネルと異なるチャンネルに設定するには、オフセットビートキャンセラに出力チャンネル設定用の操作部を設けて、使用者が出力チャンネルを任意に設定できるようにすることが望ましい。
【０００８】
ところで、このように出力チャンネル設定用の操作部をオフセットビートキャンセラに内蔵させる場合、その操作部を、例えば、接点の開閉状態が操作位置に応じて変化するディップスイッチやロータリスイッチ等からなるメカニカルスイッチにて構成すると、そのスイッチの接点の経時変化（例えば錆等による接点の接触不良）によって、出力チャンネルが変化してしまうことが考えられる。
【０００９】
一方、こうした問題を防止するために、操作部を、操作時にのみ接点が閉じる常開型のスイッチにて構成すると、接点の接触不良に伴い出力チャンネルが変化するのは防止できるが、出力チャンネルの設定時に、その設定したチャンネルを確認できるようにするための表示部をビートキャンセラに組み込む必要がある。
【００１０】
しかし、出力チャンネル表示用の表示部をオフセットビートキャンセラに設けると、表示部による消費電流によって、オフセットビートキャンセラの消費電力が不必要に増加してしまう。
【００１１】
つまり、オフセットビートキャンセラをホーム共同受信等で使用する場合、オフセットビートキャンセラは、受信アンテナ近傍に設置し、ブースタ等の他の伝送装置と同様、常時動作させる必要があるため、消費電力は必要最小限に抑える必要があるが、上記のように出力チャンネル表示のための表示部をオフセットビートキャンセラに内蔵すると、本来、オフセットビートキャンセラの設置時や点検時にのみ必要な表示部が、常時動作してしまうことになり、オフセットビートキャンセラの消費電力が不必要に増加してしまうのである。
【００１２】
また、こうした問題は、上述したオフセットビートキャンセラに限らず、動作モードを外部操作によって設定するためのメカニカルスイッチを備えた電子機器であれば、同様の問題が生じる。
【００１３】
つまり、従来より、ＣＡＴＶシステム等の各種伝送システムで利用される情報伝送装置、各種データを処理する情報処理装置、といった電子機器には、その動作モードを使用者が任意に設定できるようにするために、ディップスイッチやロータリスイッチ等からなるメカニカルスイッチを備えたものが知られているが、この種の電子機器においては、メカニカルスイッチの接点の経時変化によって誤動作してしまうことがあり、この問題を防止するために、操作部に常開型のスイッチを使用すると、そのスイッチによる設定状態を表示するための表示部を別途設けなければならず、伝送装置の消費電力が不必要に増加してしまうのである。
【００１４】
本発明は、こうした問題に鑑みなされたものであり、動作設定用の操作部としてメカニカルスイッチを備えた電子機器において、その接点の経時変化に伴い機器が誤動作するのを防止することを目的とする。
【課題を解決するための手段】
【００１５】
かかる目的を達成するためになされた請求項１に記載の発明は、操作位置に応じて接点の開閉状態が切り換えられると共に該接点の状態が保持されるメカニカルスイッチからなる動作設定用の第１操作部を備え、該第１操作部の接点の状態に応じて動作状態が切り換えられる電子機器において、当該電子機器の動作モードを、前記第１操作部の接点の状態に応じて当該電子機器の動作設定を行う設定モードと、当該電子機器の動作設定を行わない固定モードとの何れかに切り換えるための第２操作部と、該第２操作部を介して当該電子機器の動作モードが前記設定モードに設定されているときは、前記第１操作部の接点の状態を監視すると共に、該監視結果に応じて当該電子機器の動作を制御し、前記第２操作部を介して当該電子機器の動作モードが前記設定モードから前記固定モードに切り換えられると、前記第１操作部の接点の状態をメモリに記憶して、その後、当該電子機器の動作モードが前記設定モードに切り換えられるまで、該メモリに記憶した接点の状態に応じて当該電子機器の動作を制御する制御手段と、を備えたことを特徴とする。
【００１６】
このように、本発明の電子機器においては、第２操作部を介して動作モードが設定モードに切り換えられていれば、制御手段は、第１操作部の接点の状態を監視して、その監視結果に応じて当該電子機器の動作を制御するが、第２操作部を介して動作モードが固定モードに切り換えられているときには、制御手段は、そのモード切り換え時にメモリに記憶した第１操作部の接点の状態に応じて当該電子機器の処理動作を制御する。
【００１７】
このため、使用者は、伝送信号の処理動作を設定するときにだけ、第２操作部を操作して当該電子機器の動作モードを設定モードに切り換えるようにすれば、第１操作部の接点の経時変化によって当該電子機器の動作特性が変化するのを確実に防止できる。
【００１８】
また、第１操作部は、操作位置に応じて接点の開閉状態が切り換えられると共に該接点の状態が保持されるメカニカルスイッチにて構成されているため、使用者は、第１操作部を介して設定した動作状態を第１操作部の操作位置から簡単に把握することができ、第１操作部により設定した動作状態を表示するための表示部を電子機器に設ける必要はない。
【００１９】
よって、本発明の電子機器によれば、消費電力を必要最小限に抑えつつ、第１操作部の接点の経時変化によって生じる動作特性の変化を防止できることになる。
ここで、本発明は、動作設定用の第１操作部として、上述したメカニカルスイッチを備えた電子機器であれば、どのような電子機器であっても適用できるが、メカニカルスイッチが使用者により頻繁に操作される電子機器の場合には、その接点に錆が生じるようなことはなく、接点の経時変化に伴う誤動作も発生し難いことから、本発明は、動作モードを一旦設定すると、その後、長期間動作モードが変更されることのない電子機器に適用することにより、より効果を発揮することができるようになる。
【００２０】
具体的には、請求項２に記載のように、本発明は、所定の情報を表す信号を伝送する伝送路上に設けられ、その伝送路を流れる伝送信号を処理する情報伝送装置に適用し、制御手段を、第１操作部の接点の状態の監視結果若しくはメモリに記憶された接点の状態に応じて、伝送信号の処理動作を制御するように構成するとよい。
【００２１】
つまり、例えば、ＣＡＴＶシステム、インターフォンシステム、ホームセキュリティシステム等で使用される情報伝送装置は、システム構築時又は変更時に動作モードが一旦設定されると、その後、システムが改変されるまでは、動作モードが変更されることはない。また、この種の情報伝送装置は、通常、建造物の天井裏や壁裏等の人目につかない場所に設置され、屋外に設置されることもあることから、使用環境は極めて厳しく、メカニカルスイッチが劣化し易い。従って、請求項２に記載のように、この種の情報伝送装置に本発明を適用すれば、本発明の効果をより発揮することができるようになるのである。
【００２２】
次に、請求項３に記載の発明は、受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、該選局手段から出力される映像中間周波信号を直交検波することにより、該映像中間周波信号に含まれる妨害波信号成分を抽出し、該抽出した妨害波信号成分を除去した映像信号若しくは映像中間周波信号を生成する映像信号処理手段と、該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段とを備え、該生成されたテレビ放送信号を受信信号として出力するオフセットビートキャンセラであって、操作位置に応じて接点の開閉状態が切り換えられると共に該接点の状態が保持されるメカニカルスイッチからなり、前記テレビ放送信号生成手段が生成するテレビ放送信号の放送チャンネルを外部操作によって設定するための第１操作部と、当該オフセットビートキャンセラの動作モードを、前記テレビ放送信号生成手段が生成するテレビ放送信号の放送チャンネルを前記第１操作部を用いて設定する設定モードと、該放送チャンネルを所定チャンネルに固定する固定モードとの何れかに切り換えるための第２操作部と、該第２操作部を介して当該オフセットビートキャンセラの動作モードが前記設定モードに設定されているときは、前記第１操作部の接点の状態を監視すると共に、該監視結果に応じて前記テレビ放送信号生成手段が生成するテレビ放送信号の放送チャンネルを制御し、前記第２操作部を介して当該オフセットビートキャンセラの動作モードが前記設定モードから前記固定モードに切り換えられると、前記第１操作部の接点の状態をメモリに記憶して、その後、当該オフセットビートキャンセラの動作モードが前記設定モードに切り換えられるまで、該メモリに記憶した接点の状態に応じて前記テレビ放送信号生成手段が生成するテレビ放送信号の放送チャンネルを制御する制御手段とを備えたことを特徴とする。
【００２３】
即ち、このオフセットビートキャンセラは、請求項１、２に記載の発明を、上述したオフセットビートキャンセラに適用したものであり、テレビ放送信号生成手段が生成するテレビ放送信号の放送チャンネル（出力チャンネル）を外部操作によって設定するための第１操作部は、第２操作部を介して動作モードが設定モードに切り換えられているときにだけ利用できるようにされている。
【００２４】
つまり、第２操作部を介して動作モードが設定モードに切り換えられているときには、制御手段は、第１操作部の接点の状態を監視し、その監視結果に応じてテレビ放送信号生成手段が生成するテレビ放送信号の放送チャンネルを制御するが、第２操作部を介して当該オフセットビートキャンセラの動作モードが固定モードに切り換えられているときには、制御手段は、動作モードが固定モードに切り換えられたときにメモリに記憶した第１操作部の接点の状態に応じて、テレビ放送信号生成手段が生成するテレビ放送信号の放送チャンネルを制御する。
【００２５】
従って、本発明のオフセットビートキャンセラによれば、使用者は、出力チャンネルを設定するときにだけ、第２操作部を操作してオフセットビートキャンセラの動作モードを設定モードに切り換えるようにすれば、第１操作部の接点の経時変化によって出力チャンネルが変化するのを確実に防止できる。
【００２６】
また、第１操作部は、操作位置に応じて接点の開閉状態が切り換えられると共に該接点の状態が保持されるメカニカルスイッチにて構成されているため、使用者は、第１操作部を介して設定した出力チャンネルを第１操作部の操作位置から簡単に把握することができ、第１操作部により設定した出力チャンネルを表示するための表示部を装置内に設ける必要はない。
【００２７】
よって、本発明のオフセットビートキャンセラによれば、請求項１、２に記載のＣＡＴＶ用伝送装置と同様、消費電力を必要最小限に抑えつつ、第１操作部の接点の経時変化によって生じる出力チャンネルの変化を防止できることになる。
【００２８】
ここで、第１操作部を構成するメカニカルスイッチは、例えば、操作位置に応じて接点のオン・オフ状態が切り換えられるディップスイッチでもよいが、ディップスイッチを用いて出力チャンネルを設定するには、設定可能なチャンネル数に応じて多くのディップスイッチを設ける必要があるため、オフセットビートキャンセラにおいて用いる出力チャンネル設定用の第１操作部としては、請求項４に記載のように、複数の接点を有し、回転位置に応じて各接点の開閉状態が切り換えられるロータリスイッチにて構成するとよい。
【００２９】
また、本発明（請求項３，４）のオフセットビートキャンセラにおいて、映像信号処理手段としては、従来技術の項で説明した従来のオフセットビートキャンセラと同様に、選局手段から出力される映像中間周波信号の中から希望波の映像搬送波を抽出し、この映像搬送波を用いて映像中間周波信号を直交検波することにより、妨害波信号成分を含むＱ信号を生成し、その生成したＱ信号から妨害波信号成分を抽出して、この妨害波信号成分を映像中間周波信号から除去するように構成してもよい。
【００３０】
しかし、こうした従来のオフセットビートキャンセラでは、直交検波後のＱ信号から妨害波信号成分を抽出するのにアナログフィルタを用いているため、フィルタ特性を安定化させるために温度変化の小さい環境下で使用しなければならないという問題がある。
【００３１】
そこで、本発明のオフセットビートキャンセラを温度変化の大きい環境下で使用できるようにするには、映像信号処理手段を、請求項５に記載のように構成するとよい。
即ち、請求項５に記載のオフセットビートキャンセラにおいて、映像信号処理手段は、映像中間周波信号を直交検波することによりＩ信号とＱ信号とを生成し、その生成したＱ信号をＡ／Ｄ変換してデジタル処理することによりＩ信号に含まれる妨害波信号成分を生成し、その生成した妨害波信号成分をＩ信号から除去することにより、妨害波信号成分を除去した映像信号を生成するように構成されている。
【００３２】
従って、この請求項５に記載のオフセットビートキャンセラによれば、映像信号処理手段において、Ｑ信号をデジタル処理することにより妨害波信号成分を生成することから、妨害波信号成分を周囲温度の影響を受けることなく安定して生成することができるようになり、例えば、ホーム共同受信等を行うために温度変化の大きい環境下に設置しても、受信信号から妨害波信号成分を良好に除去することができるようになる。
【発明を実施するための最良の形態】
【００３３】
以下に本発明の実施形態を図面と共に説明する。
図１は本発明が適用された第１実施例のテレビ放送受信システム全体の構成を表わす概略構成図である。なお、本実施例のテレビ放送受信システムは日本国内用のものであり、以下に説明するＶＨＦ帯及びＵＨＦ帯のテレビ放送は、帯域幅が６ＭＨｚのＮＴＳＣ方式で行われるものとする。
【００３４】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯及びＵＨＦ帯の放送電波をそれぞれ受信するＶＨＦアンテナ２及びＵＨＦアンテナ４と、放送衛星（ＢＳ）や通信衛星（ＣＳ）からの送信電波を受信するＢＳ／ＣＳアンテナ６とを備える。
【００３５】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００３６】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０に入力され、このオフセットビートキャンセラ２０から端末側の伝送線上に出力される。
【００３７】
また、端末側の伝送線には、分配器１０が接続されており、オフセットビートキャンセラ２０から出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末まで伝送される。
【００３８】
次に、このオフセットビートキャンセラ２０の構成を図２を用いて詳しく説明する。
図２に示すように、オフセットビートキャンセラ２０は、ブースタ８から出力された受信信号を伝送線（同軸ケーブル）を介して入力するための入力端子Ｔｉｎと、受信信号を出力するための出力端子Ｔｏｕｔとを備える。
【００３９】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、及び、出力端子Ｔｏｕｔ側に設けられたＨＰＦ２６を介して、出力端子Ｔｏｕｔまで伝送されて、出力端子Ｔｏｕｔから端末側に出力される。
【００４０】
また、入力端子Ｔｉｎに入力された受信信号の内、ＶＨＦ受信信号及びＵＨＦ受信信号は、ＶＨＦ及びＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００４１】
一方、分配回路２８にて分配された他方の受信信号は、ＵＨＦ選局部３０に入力される。このＵＨＦ選局部３０は、制御部５０から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（４．５ＭＨｚ）となる音声中間周波信号（音声ＩＦ信号）とを出力する。なお、このＵＨＦ選局部３０は、本発明の選局手段に相当する。
【００４２】
そして、ＵＨＦ選局部３０から出力された映像ＩＦ信号は、直交検波部３２に入力され、この直交検波部３２にて、映像ＩＦ信号に含まれる映像搬送波を用いて直交検波される。また、この直交検波部３２で直交検波されたＩ信号とＱ信号とは、それぞれ、ビートキャンセル用のデジタル処理部３４に入力され、デジタル処理部３４にて、妨害波信号成分を除去したベースバンドの映像信号に変換される。
【００４３】
そして、この映像信号と、ＵＨＦ選局部３０から出力された音声ＩＦ信号とは、それぞれ、ＵＨＦ変調部３６に入力され、このＵＨＦ変調部３６にて、制御部５０から出力チャンネル制御信号によって指定された所定放送チャンネル（出力チャンネル）のＵＨＦ帯のテレビ放送信号に変換される。
【００４４】
なお、このＵＨＦ変調部３６は、本発明のテレビ放送信号生成手段に相当するものであるが、このテレビ放送信号生成手段としては、本実施例のＵＨＦ変調部３６のように、必ずしもＵＨＦ帯のテレビ放送信号を生成する必要はなく、ＶＨＦ帯のチャンネル或いはＣＡＴＶチャンネルのテレビ放送信号を生成するようにしてもよい。
【００４５】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００４６】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
【００４７】
そして、この混合回路４２にて混合されたＶＨＦ・ＵＨＦ信号は、増幅回路４４にて所定レベルまで更に増幅された後、ＶＨＦ及びＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００４８】
ここで、デジタル処理部３４と直交検波部３２とは、本発明の映像信号処理手段に相当するものであり、本実施例では、デジタル処理部３４において、Ｑ信号をデジタル処理することにより、Ｉ信号に含まれる妨害波信号成分を生成し、Ｉ信号からこの妨害波信号成分を除去する。
【００４９】
つまり、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号及びＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００５０】
具体的には、再生したテレビ画像からビートを除去するには、映像信号の低域成分（周波数：０〜数十ｋＨｚ）に関して妨害波信号成分を除去できれば充分であることから、デジタル処理部３４では、図３に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４にて、その抽出したＱ信号の低域成分から、上記妨害波信号成分「Ｂ（ｔ）ｃｏｓ（δｔ＋Φ）」を生成する。
【００５１】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００５２】
そして、ビート成分生成部６４から出力される妨害波信号成分は、ビート成分生成部６４の処理動作によって、各フィルタ部６３、６７を通過したＩ信号の低域成分及び高域成分よりも遅れることから、フィルタ部６３、６７を通過したＩ信号の低域成分及び高域成分を、ビート成分生成部６４で生成された妨害波信号成分と同期させるために、Ｉ信号の低域成分及び高域成分を、それぞれ、遅延処理部６５、６８で遅延処理する。
【００５３】
そして、最後に、減算処理部６６にて、遅延処理後のＩ信号の低域成分からビート成分生成部６４で生成された妨害波信号成分を減算する減算処理を行い、更に、その減算処理後のＩ信号の低域成分と遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００５４】
従って、デジタル処理部３４からは、オフセットビート障害の原因となる妨害波信号成分を除去した映像信号が出力されることになり、しかも、デジタル処理部３４では、直交検波後のＩ信号及びＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。
【００５５】
次に、オフセットビートキャンセラ２０には、ＵＨＦ変調部３６が生成するテレビ放送信号の放送チャンネル（出力チャンネル）を外部操作によって設定できるようにするために出力チャンネル設定部４８が設けられている。
【００５６】
この出力チャンネル設定部４８は、図４に示すように、出力チャンネルの「１」の位を値０〜９の何れかに設定するためのロータリスイッチ４８ａと、出力チャンネルの「１０」の位を値０〜９の何れかに設定するためのロータリスイッチ４８ｂと、オフセットビートキャンセラ２０の動作モードを、ＵＨＦ変調部３６の出力チャンネルをこれらのロータリスイッチ４８ａ、４８ｂを用いて設定する設定モード（ＳＥＴ）と、出力チャンネルを固定する固定モード（ＬＯＣＫ）との何れかに設定するためのチャンネルセットスイッチ４８ｃとから構成されている。なお、チャンネルセットスイッチ４８ｃは、本発明の第２操作部に相当し、ロータリスイッチ４８ａ、４８ｂは、本発明の第１操作部に相当する。
【００５７】
また、制御部５０は、マイクロコンピュータにて構成されており、この出力チャンネル設定部４８から入力される出力チャンネルの設定指令に従い、ＵＨＦ変調部３６がテレビ放送信号を生成する際の放送チャンネル（出力チャンネル）を制御し、ＵＨＦ選局部３０の選局チャンネルについては、予めＥＥＰＲＯＭ５２に記憶された選局チャンネルに制御する。
【００５８】
そして、制御部５０が制御するＵＨＦ変調部３６の出力チャンネルは、図５に示す如く、チャンネルセットスイッチ（ＣＨＳＥＴＳＷ）４８ｃが設定モード（ＳＥＴ）に切り換えられているときに実行される出力チャンネル設定処理にて設定され、チャンネルセットスイッチ（ＣＨＳＥＴＳＷ）４８ｃが固定モード（ＬＯＣＫ）に切り換えられているときには、この出力チャンネル設定処理にてＥＥＰＲＯＭ５２内に格納された出力チャンネルにて、ＵＨＦ変調部３６の出力チャンネルが制御される。
【００５９】
以下、制御部５０にて実行される出力チャンネル設定処理について説明する。
図５に示すように、この処理は、チャンネルセットスイッチ（ＣＨＳＥＴＳＷ）４８ｃが設定モード（ＳＥＴ）に切り換えられているときに制御部５０にて実行される処理であり、処理が開始されると、Ｓ１１０（Ｓはステップを表す）にて、ロータリスイッチ４８ａ、４８ｂの接点の状態から、これら各スイッチ４８ａ、４８ｂを介して設定された設定チャンネルを読み込み、続くＳ１２０にて、ＵＨＦ変調部３６がテレビ放送信号を生成する際の放送チャンネル（出力チャンネル）がその読み込んだ設定チャンネルとなるように制御する。
【００６０】
また次に、Ｓ１３０では、チャンネルセットスイッチ４８ｃが設定モード（ＳＥＴ）から固定モード（ＬＯＣＫ）に切り換えられたか否かを判断し、チャンネルセットスイッチ４８ｃが固定モード（ＬＯＣＫ）に切り換えられていなければ、再度Ｓ１１０に移行することにより、上記Ｓ１１０、Ｓ１２０の処理を実行する。
【００６１】
一方、Ｓ１３０にて、チャンネルセットスイッチ４８ｃが設定モード（ＳＥＴ）から固定モード（ＬＯＣＫ）に切り換えられたと判断されると、Ｓ１４０に移行して、ＵＨＦ変調部３６の出力チャンネルを現在の出力チャンネルに固定し、Ｓ１５０にて、現在の出力チャンネルをＥＥＰＲＯＭ５２に記憶することにより、その後、停電等によって制御部５０が再起動された際にでも、ＵＨＦ変調部３６の出力チャンネルをＥＥＰＲＯＭ５２に記憶された出力チャンネルに設定できるようにし、当該処理を終了する。
【００６２】
なお、オフセットビートキャンセラ２０には、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５６を介して、動作用の電源電圧を供給するようにされている。
【００６３】
以上説明したように、本実施例のオフセットビートキャンセラ２０においては、第２操作部としてのチャンネルセットスイッチ４８ｃを介して動作モードが設定モード（ＳＥＴ）に切り換えられているときには、制御部５０は、第１操作部としてのロータリスイッチ４８ａ、４８ｂの接点の状態から、使用者が指定した出力チャンネルを読み込み、その読み込んだ出力チャンネルに応じてＵＨＦ変調部３６の出力チャンネルを制御するが、チャンネルセットスイッチ４８ｃを介して動作モードが設定モード（ＳＥＴ）から固定モード（ＬＯＣＫ）に切り換えられると、ＵＨＦ変調部３６の出力チャンネルをそのときの出力チャンネルに固定し、更に、その後のＵＨＦ変調部３６の出力チャンネルをそのときの出力チャンネルに固定できるように、現在の出力チャンネルをＥＥＰＲＯＭ５２に記憶する。
【００６４】
従って、本実施例のオフセットビートキャンセラによれば、使用者は、出力チャンネルを設定するときにだけ、チャンネルセットスイッチ４８ｃを設定モード（ＳＥＴ）側に切り換えるようにすれば、ロータリスイッチ４８ａ、４８ｂの接点の経時変化によって出力チャンネルが変化するのを確実に防止できる。
【００６５】
また、ロータリスイッチ４８ａ、４８ｂは、その操作位置（動作角度）から設定した出力チャンネルを把握することができるため、ロータリスイッチ４８ａ、４８ｂを介して設定した出力チャンネルを表示するための表示部を装置内に設ける必要はない。
【００６６】
よって、本実施例のオフセットビートキャンセラによれば、消費電力を必要最小限に抑えつつ、ロータリスイッチ４８ａ、４８ｂの接点の経時変化によって出力チャンネルが変化するのを防止できる。
【００６７】
また、本実施例では、出力チャンネルの設定に２つのロータリスイッチを用いるようにしているため、出力チャンネルの設定にディップスイッチを用いるようにした場合に比べて、出力チャンネル設定用のスイッチの数を少なくし、また、使用者による出力チャンネル設定時の操作性を向上できる。
【００６８】
つまり、ＵＨＦチャンネルは、通常、チャンネル１３〜６２の合計５０チャンネル有り、これらのチャンネルの中からディップスイッチを用いて任意のチャンネルを設定できるようにするには、多数のディップスイッチを設ける必要があるが、本実施例のように、ロータリスイッチを用いて出力チャンネルを設定するようにすれば、ロータリスイッチの数を少なくして、出力チャンネルの設定操作も簡単に行うことができるようになるのである。
【００６９】
以上、本発明の一実施例について説明したが、本発明は上記実施例に限定されるものではなく、種々の態様を採ることができる。
例えば、上記実施例のオフセットビートキャンセラにおいては、チャンネルセットスイッチ４８ｃを介して動作モードが設定モード（ＳＥＴ）に切り換えられているときに限って、ロータリスイッチ４８ａ、４８ｂの操作によって、ＵＨＦ変調部３６の出力チャンネルを変更できようにしているが、例えば、周囲が暗く、ロータリスイッチ４８ａ、４８ｂの操作位置（動作角度）が見難いような場合には、出力チャンネル変更時の操作性が低下する。
【００７０】
そこで、出力チャンネル設定部４８には、ロータリスイッチ４８ａ、４８ｂを照らすための発光素子（低消費電力である白色ＬＥＤやＥＬ（エレクトロ・ルミネッセンス等が好ましい））を設け、チャンネルセットスイッチ４８ｃを介して、動作モードが設定モード（ＳＥＴ）に切り換えられたときには、制御部５０が発光素子を自動で点灯させ、逆に、動作モードが固定モード（ＬＯＣＫ）に切り換えられると、制御部５０が発光素子を自動で消灯させるようにしてもよい。
【００７１】
また、上記実施例では、デジタル処理部３４において、Ｉ信号を低域成分と高域成分とに分離するものとして説明したが、Ｉ信号は必ずしも分離する必要はなく、単にＡ／Ｄ変換部６１でＡ／Ｄ変換したＩ信号をそのまま遅延処理部で遅延させて、そのＩ信号から妨害波信号成分を除去するようにしてもよい。
【００７２】
また、上記実施例では、妨害波信号成分を除去するためにデジタル処理部３４を用いるものとして説明したが、上述した従来装置のように、映像ＩＦ信号を直交検波することにより得られるＱ信号からアナログフィルタを用いて妨害波信号成分を抽出し、この妨害波信号成分を映像ＩＦ信号に対応した周波数にアップコンバートして、そのアップコンバート後の妨害波信号成分を映像ＩＦ信号から除去するようにしてもよい。但し、この場合には、オフセットビートキャンセラの特性が変化することのないよう、オフセットビートキャンセラを、温度変化が小さい環境下で使用する必要はある。
【００７３】
また、上記実施例では、本発明を適用したオフセットビートキャンセラについて説明したが、本発明は、オフセットビートキャンセラに限らず、各種動作設定用のスイッチ（メカニカルスイッチ）を内蔵した電子機器（より好ましくは情報伝送装置）であれば、上記実施例と同様に適用して同様の効果を得ることができる。
【図面の簡単な説明】
【００７４】
【図１】実施例のテレビ放送受信システム全体の構成を表す概略構成図である。
【図２】図１に示すオフセットビートキャンセラの構成を表すブロック図である。
【図３】図２に示すデジタル処理部の構成を表すブロック図である。
【図４】図２に示す出力チャンネル設定部の構成を表す説明図である。
【図５】図２に示す制御部（マイクロコンピュータ）にて実行される出力チャンネル設定処理を表すフローチャートである。
【符号の説明】
【００７５】
２…ＶＨＦアンテナ、４…ＵＨＦアンテナ、６…ＢＳ／ＣＳアンテナ、８…ブースタ、１０…分配器、１２…直列ユニット、２０…オフセットビートキャンセラ、２２，４６…ＬＰＦ、２４，２６…ＨＰＦ、２８…分配回路、３０…ＵＨＦ選局部、３２…直交検波部、３４…デジタル処理部、３６…ＵＨＦ変調部、３８…ＢＰＦ、４０…増幅部、４２…混合回路、４４…増幅回路、４８…出力チャンネル設定部、４８ａ，４８ｂ…ロータリスイッチ、４８ｃ…チャンネルセットスイッチ、５０…制御部、５２…ＥＥＰＲＯＭ、５６…電源部、６０，６１…Ａ／Ｄ変換部、６２，６３，６７…フィルタ部、６４…ビート成分生成部、６５，６８…遅延処理部、６６…減算処理部、６９…加算処理部、６９ａ…Ｄ／Ａ変換部、Ｔｄｃ…電源入力端子、Ｔｉｎ…入力端子、Ｔｏｕｔ…出力端子、ＶＲ…ボリューム。
【図１】
2004304758.tif 000003
【図２】
2004304758.tif 000004
【図３】
2004304758.tif 000005
【図４】
2004304758.tif 000006
【図５】
2004304758.tif 000007